(57)【要約】【課題】表示部を起立させた状態で緊締／弛緩されるキャビネット螺子止め用の小螺子が落下した際、この小螺子が端子カバー係止用の係止凹部からキャビネット内へ侵入するのを防ぐことができる表示装置を提供する。【解決手段】前側に表示面を有し、後側にケーブルが接続される端子を有する表示部と、該表示部の周縁側に小螺子により取付けられて表示部の後側を被覆し、且つ前記端子に対応する箇所に開放部３１を有するキャビネット３と、前記開放部３１の縁部に係止される係止爪７１を有し、前記開放部３１を閉塞するカバー７とを備え、開放部３１の下縁部に、係止爪７１が挿嵌され、且つ前記小螺子の下方への通過を防ぐ係止凹部３５を設け、落下した小螺子がキャビネット３内へ侵入するのを防ぐようにした。【選択図】図３
2008107723.tif 000002
【特許請求の範囲】
【請求項１】
前側に表示面を有し、後側にケーブルが接続される端子を有する表示部と、該表示部の周縁側に螺子により取付けられて表示部の後側を被覆し、且つ前記端子に対応する箇所に開放部を有するキャビネットと、前記開放部の縁部に係止される係止爪を有し、前記開放部を閉塞するカバーとを備える表示装置において、前記開放部の下縁部に、前記係止爪が挿嵌され、且つ前記螺子の下方への通過を防ぐ係止凹部を設けてあることを特徴とする表示装置。
【請求項２】
前記係止凹部は上下に貫通する孔、及び該孔より下方に離隔して配され、該孔を下方へ通過した前記螺子を受止めるべき受部を有する請求項１記載の表示装置。
【請求項３】
前側に表示面を有し、後側にケーブルが接続される端子を有する表示部と、該表示部の周縁側に螺子により取付けられて表示部の後側を被覆し、且つ前記端子に対応する箇所に開放部を有するキャビネットと、前記開放部の縁部に係止される係止爪を有し、前記開放部を閉塞するカバーとを備える表示装置において、前記開放部の下縁部に上下に貫通する孔を設けてあり、該孔に、前記係止爪が挿嵌され、且つ前記螺子の下方への通過を防ぐ係止凹体を挿嵌してあることを特徴とする表示装置。
【発明の詳細な説明】
【技術分野】
【０００１】
本発明は液晶表示装置、プラズマ表示装置等の表示装置に関する。
【背景技術】
【０００２】
映像を表示する表示面を前側に有する液晶テレビ、プラズマテレビ等の薄型の表示装置は例えば、特許文献１に開示されている。
【０００３】
図１２は従来の表示装置の構成を示す後側の斜視図、図１３は従来の表示装置の後側の一部を拡大した斜視図である。薄型の表示装置は、前側にパネル部を有し、後側に該パネル部へ光を照射するバックライト部を有する表示部１００と、該表示部１００の周縁側に螺子により取付けられて表示部１００の周縁部及び後側を被覆するキャビネット１０１と、前記表示部１００を起立状態で支持するスタンド１０２とを備え、表示部１００の後面に、画像入力端子及びビデオ入力端子等の複数の端子１０３を有する端子基板１０４が装着されている。また、キャビネット１０１には前記端子１０３に対応する箇所に前後に開放され、その下縁に複数の係止孔１０５を有する開放部１０６が開設されており、該開放部１０６の係止孔１０５に係止される複数の係止爪を有し、前記開放部１０６を閉塞するカバー１０７が取外しを可能に取付けられている。
【０００４】
ところで、以上のように構成された従来の表示装置は、表示部１００にキャビネット１０１が螺子止めされた後、キャビネット１０１の後側から表示部１００にスタンド１０２が取付られるスタンド後付けタイプと、表示部１００の後面にスタンド１０２が取付けられた後、キャビネット１０１が表示部に螺子止めされるスタンド先付けタイプとが知られている。
【０００５】
前者のスタンド後付けタイプは、比較的大形に形成されている表示部１００を載置台上に転倒させた状態でキャビネット１０１を表示部１００の上方から下降させて表示部１００の周縁部及び後側を被覆し、複数の小螺子でキャビネット１０１の周縁部を表示部１００に取付けた後、スタンド１０２の上部を表示部１００の後面に螺子止めすることにより組立てられ、スタンド１０２の下端を支点として表示部１００が載置台上に起立させられる。
【０００６】
後者のスタンド先付けタイプは、比較的大形に形成されている表示部１００を載置台上に転倒させた状態でスタンド１０２の上部を表示部１００の後面に螺子止めした後、スタンド１０２の下端を支点として表示部１００が載置台上に起立させられ、この起立状態で表示部１００の周縁部及び後側をキャビネット１０１で被覆し、複数の小螺子でキャビネット１０１の周縁部を表示部１００に螺子止めすることにより組立てられる。
【特許文献１】特開２００５−１３４５９１号公報
【発明の開示】
【発明が解決しようとする課題】
【０００７】
ところで、前者のスタンド後付けタイプにあっては、組立て作業時、及び保守点検時に表示部１００が載置台上に転倒され、この転倒状態でキャビネット１０１の周縁部が螺子止めされるため、螺子止め用の小螺子が不用意に落下しても該螺子がキャビネット１０１の外表面から前記開放部１０６へ侵入し難いし、また、侵入しても容易に取出すことができる。しかし、保守点検時においても表示部１００を転倒させる必要があるため、表示装置が比較的大型の場合、保守点検に複数の作業員が必要である。
【０００８】
これに対して後者のスタンド先付けタイプにあっては、表示部１００を起立させた状態で組立て作業、及び保守点検作業が行えるため、表示装置が比較的大型の場合であっても、保守点検を一人の作業員で行うことができる。しかし、表示部１００を起立させた状態でキャビネット螺子止め用の小螺子が緊締／弛緩されるため、この小螺子が不用意に落下した際、端子１０３に対応する箇所に開設されているキャビネット１０１の開放部１０６の係止孔１０５に前記落下した小螺子が侵入することがある。ところが、係止孔１０５はキャビネット１０１の底部内側に開放されているため、係止孔１０５に侵入した小螺子はキャビネット１０１内の底部で受止められることになり、係止孔１０５及び前記開放部１０６からでは小螺子を取出すことができない。従って、係止孔１０５に侵入した小螺子を取出すためには螺子止め途中のキャビネット１０１を取外す必要があり、改善策が要望されていた。
【０００９】
本発明は斯かる事情に鑑みてなされたものであり、主たる目的は端子に対応する箇所に設けられる開放部の下縁部に、開放部を閉塞するカバーの係止爪が挿嵌され、且つキャビネット螺子止め用螺子の下方への通過を防ぐ係止凹部を設けることにより、表示部を起立させた状態で緊締／弛緩されるキャビネット螺子止め用の螺子が脱落した際、この螺子が端子カバー用の開放部の下縁部からキャビネット内に侵入するのを防ぐことができる表示装置を提供することにある。
【００１０】
また、他の目的は係止凹部を、上下に貫通する孔及び該孔より下方に離隔して配され、該孔を下方へ通過した前記螺子を受止めるべき受部を有する構成とすることにより、表示部を起立させた状態で緊締／弛緩されるキャビネット螺子止め用の螺子が脱落した際、この螺子が端子カバー用の開放部の下縁部からキャビネット内に侵入するのを防ぐことができる表示装置を提供することにある。
【００１１】
また、他の目的は端子に対応する箇所に設けられる開放部の下縁部に上下に貫通する孔を設け、該孔に、前記係止爪が挿嵌され、且つキャビネット螺子止め用螺子の下方への通過を防ぐ係止凹体を挿嵌することにより、表示部を起立させた状態で緊締／弛緩されるキャビネット螺子止め用の螺子が脱落した際、この螺子が端子カバー用の開放部の下縁部からキャビネット内に侵入するのを防ぐことができる表示装置を提供することにある。
【課題を解決するための手段】
【００１２】
本発明に係る表示装置は、前側に表示面を有し、後側にケーブルが接続される端子を有する表示部と、該表示部の周縁側に螺子により取付けられて表示部の後側を被覆し、且つ前記端子に対応する箇所に開放部を有するキャビネットと、前記開放部の縁部に係止される係止爪を有し、前記開放部を閉塞するカバーとを備える表示装置において、前記開放部の下縁部に、前記係止爪が挿嵌され、且つ前記螺子の下方への通過を防ぐ係止凹部を設けてあることを特徴とする。
【００１３】
この発明にあっては、表示部を起立させた状態で緊締／弛緩されるキャビネット螺子止め用の螺子が脱落した際、この螺子が端子カバー用の開放部の下縁部からキャビネット内に侵入するのを防ぐことができる。
【００１４】
また、本発明に係る表示装置は、前記係止凹部は上下に貫通する孔、及び該孔より下方に離隔して配され、該孔を下方へ通過した前記螺子を受止めるべき受部を有することを特徴とする。
【００１５】
この発明にあっては、表示部を起立させた状態で緊締／弛緩されるキャビネット螺子止め用の螺子が脱落した際、この螺子が端子カバー用の開放部の下縁部からキャビネット内に侵入するのを防ぐことができる。
【００１６】
また、本発明に係る表示装置は、前側に表示面を有し、後側にケーブルが接続される端子を有する表示部と、該表示部の周縁側に螺子により取付けられて表示部の後側を被覆し、且つ前記端子に対応する箇所に開放部を有するキャビネットと、前記開放部の縁部に係止される係止爪を有し、前記開放部を閉塞するカバーとを備える表示装置において、前記開放部の下縁部に上下に貫通する孔を設けてあり、該孔に、前記係止爪が挿嵌され、且つ前記螺子の下方への通過を防ぐ係止凹体を挿嵌してあることを特徴とする。
【００１７】
この発明にあっては、表示部を起立させた状態で緊締／弛緩されるキャビネット螺子止め用の螺子が脱落した際、この螺子が端子カバー用の開放部の下縁部からキャビネット内に侵入するのを防ぐことができ、また、開放部の下縁部に係止孔が設けられている既存のキャビネットの係止孔に係止凹部材を取付け得るため、螺子が端子カバー用の開放部の下縁部からキャビネット内に侵入するのを防ぐことができる割りにコストを低減できる。
【発明の効果】
【００１８】
以上詳述したように本発明によれば、表示部を起立させた状態で緊締／弛緩されるキャビネット螺子止め用の螺子が脱落した際、この螺子が端子カバー用の開放部の下縁部からキャビネット内に侵入するのを防ぐことができるため、螺子を緊締してキャビネットを表示部に取付ける際の組立て作業性、及び螺子を弛緩してキャビネットを取外す際の保守点検の作業性を向上でき、コストの低減を図ることができる。
【００１９】
また、本発明によれば、開放部の下縁部に係止孔が設けられている既存のキャビネットの係止孔に係止凹体を取付け得るため、螺子が端子カバー用の開放部の下縁部からキャビネット内に侵入するのを防ぐことができる割りにコストを低減できる。
【発明を実施するための最良の形態】
【００２０】
以下本発明をその実施の形態を示す図面に基づいて詳述する。
実施の形態１
図１は本発明に係る表示装置の構成を示す後側の斜視図、図２は表示装置の構成を示す後側の分解斜視図、図３は要部の構成を示す拡大断面図、図４は要部の構成を示す拡大斜視図である。
【００２１】
図示した薄型の表示装置は、前側にパネル部１１を有し、後側に該パネル部１１へ光を照射するバックライト部１２及び該バックライト部１２の下側に配される二つのスピーカ１３，１３を有し、略直方体をなす表示部１と、表示部１の周縁側に小螺子２（ビス）により取付けられて表示部１の周縁部及び後側を被覆するキャビネット３と、表示部１の周縁側に取付けられて表示部１の前側周縁部を被覆する枠体４と、表示部１の後面下部に取付けられ、表示部１を起立状態で支持するスタンド５とを備える。
【００２２】
表示部１の後面には画像入力端子及びビデオ入力端子等の複数の端子１４を有する端子基板１５と、各端子１４に接続されるケーブル６を集束する集束環１６とが装着されており、周縁部には複数の取付孔１７が周縁部に沿う方向へ離隔して開設されている。
【００２３】
キャビネット３は表示部１の周縁部を被覆する枠部３ａ及び該枠部３ａの後端を閉鎖する蓋部３ｂとを有する皿形をなし、内面を成形するコア型及び外面を成形するキャビティ型内に溶融されている合成樹脂を充填することにより一体成形されている。蓋部３ｂの端子１４及び端子基板１５に対応する箇所に、端子基板１５より大形の開放部３１が開設され、該開放部３１を閉塞するカバー７が取外しを可能に開放部３１の縁部に取付けられている。枠部３ａの周縁部には複数の螺子挿通孔３２が周縁部に沿う方向へ離隔して開設されており、枠部３ａ及び蓋部３ｂのスタンド５上部に対応する箇所には欠除部３３が設けられており、該欠除部３３をスタンド５の外側で塞ぐカバー体８が取外しを可能に螺子止めされている。
【００２４】
開放部３１は図２に示すように矩形の縁部から内方（前方）へ窪む皿形をなし、端子基板１５と対向する箇所に立上壁３４が設けられ、該立上壁３４の一側で端子１４と対向する箇所、及び下側が開放されている。開放部３１の下縁部は内方に向けて傾斜しており、該下縁部の横方向両側に、カバー７の後記する係止爪７１が挿嵌され、且つキャビネット螺子止め用の小螺子２が下方へ通過するのを防ぐ有底の係止凹部３５が横方向に離隔して複数設けられており、下縁部の横方向中央部に、集束環１６により集束されたケーブル６を外部に導出する導出孔３６が設けられている。
【００２５】
係止凹部３５は、開放部３１の下縁部に上下に貫通する孔３５ａ、及び該孔３５ａより下方に離隔して配され、該孔３５ａを下方へ通過した前記小螺子２を受止めるべき受部３５ｂとにより形成されており、キャビネット螺子止め用の小螺子２が開放部３１内に落下したとき、該小螺子２が係止凹部３５からキャビネット３内へ侵入するのを防ぐように構成されている。
【００２６】
図５は係止凹部３５の形成方法を示す説明図である。係止凹部３５はコア型Ａ及びキャビティ型Ｂによりキャビネット３が成形される際に形成される。この係止凹部３５の形成は、キャビティ型Ｂに型割り方向Ｆと直交する方向へスライドを可能に保持される第１中子Ｃと、コア型Ａに型割り方向Ｆと直交する方向へスライドを可能に保持される第２中子Ｄとを用い、第１中子Ｃをキャビティ型Ｂに対して矢印Ｘ方向へスライドさせた後でキャビティ型Ｂを型割り方向Ｆへ移動させることにより孔３５ａが形成され、また、第２中子Ｄをコア型Ａに対して図４の矢印Ｙ方向へスライドさせた後で成形品のキャビネット３をコア型Ａに対して押し出すことにより受部３５ｂが形成される。
【００２７】
図６はカバーの構成を示す背面図、図７はカバーの構成を示す側面図である。カバー７は、略矩形の合成樹脂板からなり、下部には係止凹部３５に対応する係止爪７１が突設され、上部には開放部３１の上縁部に係止される二つの可撓爪７２が一体に設けられており、係止爪７１を孔３５ａに挿嵌した状態でカバー７を開放部３１側へ回動させることにより可撓爪７２が開放部３１の上縁部に係止され、可撓爪７２の先端を押し操作することにより可撓爪７２の係止を解除することができるように構成されている。係止爪７１は図３に示すように係止凹部３５の深さより長く形成され、カバー７の下縁が開放部３１の下縁部に接触して傷つくのを防ぐようになしてある。また、カバー７の下縁の中央部には導出孔３６から外部へ導出されたケーブル６との干渉を避ける凹所７３を設けてある。
【００２８】
以上のように構成された表示装置はスタンド先付けタイプであり、表示部１が載置台上に転倒されている状態でスタンド５の上部が表示部１の後面下部に螺子止めされた後、スタンド５の下端を支点として表示部１が載置台上に起立される。この起立状態で表示部１の周縁部及び後側がキャビネット３で被覆され、表示部１の前側周縁部が枠体４で被覆され、該枠体４及びキャビネット３の周縁部が複数の小螺子２で表示部１に取付けられた後、カバー７の係止爪７１がキャビネット３の開放部３１の係止凹部３５に挿嵌され、可撓爪７２が開放部３１の上縁部に係止されることによりカバー７が取付けられ、さらにカバー体８がキャビネット３の欠除部３３周りに螺子止めされる。
【００２９】
以上のように構成されたキャビネット３の開放部３１の係止凹部３５は、上下に貫通する孔３５ａ、及び該孔３５ａより下方に離隔して配された受部３５ｂを有するため、小螺子２の緊締によりキャビネット３が螺子止めされたり、小螺子２の弛緩によりキャビネット３が取外しされたりする際に、不用意に落下した小螺子２が開放部３１から孔３５ａに侵入することがあっても、この小螺子２を受部３５ｂで受止めることができ、小螺子２がキャビネット３内に侵入するのを防ぐことができる。また、受部３５ｂで受止められた小螺子２を孔３５ａから上方へ容易に取出すことができる。
【００３０】
実施の形態２
図８は表示装置の係止凹部の他の構成を示す拡大斜視図である。この表示装置は、実施の形態１のように上下に貫通する孔３５ａ及び受部３５ｂを有する係止凹部３５を備える代わりに、有底の係止凹部３７とし、不用意に落下した小螺子２が開放部３１から係止凹部３７に侵入した際、小螺子２を底面３７ａで受止めるように構成したものである。
【００３１】
図９は係止凹部３７の形成方法を示す説明図である。係止凹部３７はコア型Ａ及びキャビティ型Ｂによりキャビネット３が成形される際に形成される。この係止凹部３７の形成は、キャビティ型Ｂに型割り方向Ｆと直交する方向へスライドを可能に保持される第３中子Ｅを用い、第３中子Ｅをキャビティ型Ｂに対して矢印Ｘ方向へスライドさせた後でキャビティ型Ｂを型割り方向Ｆへ移動させることにより係止凹部３７が形成され、成形品のキャビネット３をコア型Ａに対して押し出すことにより形成される。
【００３２】
実施の形態２の係止凹部３７は有底であるため、不用意に落下した小螺子２が開放部３１から係止凹部３７に侵入することがあっても、この小螺子２を底面３７ａで受止めることができ、小螺子２がキャビネット３内に侵入するのを防ぐことができる。また、底部３７ａで受止められた小螺子２を上方へ容易に取出すことができる。
その他の構成及び作用は実施の形態１と同様であるため、同様の部品については同じ符号を付し、その詳細な説明及び作用効果の説明を省略する。
【００３３】
実施の形態３
図１０は表示装置の係止凹部の他の構成を示す拡大斜視図である。この表示装置は、実施の形態１、２のようにキャビネット３自体に係止凹部３５，３７を設ける代わりに、カバー７の係止爪７１に対応して開放部３１の下縁部に開設されている既存の孔３０に、係止爪７１が挿嵌され、且つ小螺子２の下方への通過を防ぐ係止凹体３８を挿嵌固定したものである。
【００３４】
係止凹体３８は、上側が開放され、孔３０に挿嵌される有底の箱部３８ａ及び該箱部３８ａの両側部から外方へ延出され、且つ螺子挿通孔３８ｂを有する二つの取付片３８ｃとを備える。
キャビネット３の孔３０の周りには、二つの螺子孔３０ａが開設されている。
【００３５】
実施の形態３の係止凹体３８は、箱部３８ａを孔３０に挿嵌し、螺子挿通孔３８ｂに挿通される螺子を螺子孔３０ａに緊締することにより開放部３１の下縁部に固定される。このように固定された係止凹体３８は有底であるため、不用意に落下した小螺子２が開放部３１から係止凹部３８に侵入することがあっても、この小螺子２を底面で受止めることができ、小螺子２がキャビネット３内へ侵入するのを防ぐことができる。また、底面で受止められた小螺子２を上方へ容易に取出すことができる。
その他の構成及び作用は実施の形態１、２と同様であるため、同様の部品については同じ符号を付し、その詳細な説明及び作用効果の説明を省略する。
【００３６】
実施の形態４
図１１は表示装置の係止凹部の他の構成を示す拡大斜視図である。この表示装置は、実施の形態３のように係止凹体３８を螺子止めする代わりに、カバー７の係止爪７１に対応して開放部３１の下縁部に開設されている既存の孔３０に、係止爪７１が挿嵌され、且つ小螺子２の下方への通過を防ぐ係止凹体３９を嵌込みにより固定したものである。
【００３７】
係止凹体３９は、上側が開放され、孔３０に挿嵌される有底の箱部３９ａ及び該箱部３９ａの両側部から外方へ延出された嵌合爪３９ｂを有する。
キャビネット３の孔３０の周りには、二つの嵌合孔３０ｂが開設されている。
【００３８】
実施の形態４の係止凹体３９は、箱部３９ａを孔３０に挿嵌し、嵌合爪３９ｂを嵌合孔３０ｂに嵌込むことにより開放部３１の下縁部に固定される。このように固定された係止凹体３９は有底であるため、不用意に落下した小螺子２が開放部３１から係止凹部３９に侵入することがあっても、この小螺子２を底面で受止めることができ、小螺子２がキャビネット３内へ侵入するのを防ぐことができる。また、底面で受止められた小螺子２を孔から上方へ容易に取出すことができる。
その他の構成及び作用は実施の形態１乃至３と同様であるため、同様の部品については同じ符号を付し、その詳細な説明及び作用効果の説明を省略する。
【００３９】
尚、以上説明した実施の形態において、キャビネット３の底壁（枠部３ａの底側）で、開放部３１の下側箇所に上下に貫通する孔を設け、万が一キャビネット内に螺子が侵入した際、この螺子を底壁の孔から外部へ排出することができるように構成してもよい。
【００４０】
また、以上説明した実施の形態ではキャビネット３を螺子止めする螺子として、小螺子を用いたが、その他螺子は小螺子に螺合されるナットであってもよい。
【００４１】
また、本発明に係る薄型の表示装置は液晶テレビ等の液晶表示装置である他、プラズマ表示装置、ＥＬディスプレイ等の表示装置であってもよい。
【図面の簡単な説明】
【００４２】
【図１】本発明に係る表示装置の構成を示す後側の斜視図である。
【図２】本発明に係る表示装置の構成を示す後側の分解斜視図である。
【図３】本発明に係る表示装置の要部の構成を示す拡大断面図である。
【図４】本発明に係る表示装置の要部の構成を示す拡大斜視図である。
【図５】本発明に係る表示装置の係止凹部の形成方法を示す説明図である。
【図６】本発明に係る表示装置のカバーの構成を示す背面図である。
【図７】本発明に係る表示装置のカバーの構成を示す側面図である。
【図８】本発明に係る表示装置の係止凹部の他の構成を示す拡大斜視図である。
【図９】本発明に係る表示装置の係止凹部の形成方法を示す説明図である。
【図１０】本発明に係る表示装置の係止凹部の他の構成を示す拡大斜視図である。
【図１１】本発明に係る表示装置の係止凹部の他の構成を示す拡大斜視図である。
【図１２】従来の表示装置の構成を示す後側の斜視図である。
【図１３】従来の表示装置の後側の一部を拡大した斜視図である。
【符号の説明】
【００４３】
１    表示部
１４  端子
２    小螺子（螺子）
３    キャビネット
３０  孔
３１  開放部
３５，３７  係止凹部
３５ａ  孔
３５ｂ  受部
３８，３９  係止凹体
６    ケーブル
７    カバー
７１  係止爪
【図１】
2008107723.tif 000003
【図２】
2008107723.tif 000004
【図３】
2008107723.tif 000005
【図４】
2008107723.tif 000006
【図５】
2008107723.tif 000007
【図６】
2008107723.tif 000008
【図７】
2008107723.tif 000009
【図８】
2008107723.tif 000010
【図９】
2008107723.tif 000011
【図１０】
2008107723.tif 000012
【図１１】
2008107723.tif 000013
【図１２】
2008107723.tif 000014
【図１３】
2008107723.tif 000015